(57)【要約】【課題】従来の毛材に比べて適度な毛腰を有し、特に歯ブラシとして使用した場合の歯の表面清掃性や使用感を向上させたブラシ用毛材、およびこの毛材を用いた用途を提供する。【解決手段】ポリブチレンテレフタレート９５〜５０重量％と、ポリエチレンテレフタレートおよび／またはポリエチレンナフタレート５〜５０重量％とからなる組成物を溶融紡糸したモノフィラメントブリッスルからなるブラシ用毛材。【選択図】  なし【特許請求の範囲】
【請求項１】
ポリブチレンテレフタレート９５〜５０重量％と、ポリエチレンテレフタレートおよび／またはポリエチレンナフタレート５〜５０重量％とからなる組成物を溶融紡糸したモノフィラメントブリッスルからなることを特徴とするブラシ用毛材。
【請求項２】
前記組成物が、ポリブチレンテレフタレート９５〜８０重量％と、ポリエチレンテレフタレートおよび／またはポリエチレンナフタレート５〜２０重量％とからなることを特徴とする請求項１に記載のブラシ用毛材。
【請求項３】
少なくとも片端が尖鋭なテーパー状であることを特徴とする請求項１または２項に記載のブラシ用毛材。
【請求項４】
請求項１〜３のいずれか１項に記載のブラシ用毛材を植毛したことを特徴とする歯ブラシ。
【請求項５】
請求項１〜３のいずれか１項に記載のブラシ用毛材を植毛したことを特徴とする化粧ブラシ。
【請求項６】
請求項１〜３のいずれか１項に記載のブラシ用毛材を植毛したことを特徴とするボディブラシ。
【請求項７】
請求項１〜３のいずれか１項に記載のブラシ用毛材を植毛したことを特徴とする筆具。
【発明の詳細な説明】
【０００１】
【発明の属する技術分野】
本発明は、合成樹脂製のブラシ用毛材およびその用途に関し、さらに詳しくは、従来の毛材、特に先端を尖鋭なテーパー状に加工したポリブチレンテレフタレート製の毛材に比べて適度な毛腰を有し、特に歯ブラシとして使用した場合の歯の表面清掃性や使用感を向上させたブラシ用毛材、およびこの毛材を用いた用途、具体的には歯ブラシ、化粧ブラシ、ボディブラシなどのトイレタリー用ブラシおよび画筆や毛筆などの筆具などに関するものである。
【０００２】
【従来の技術】
合成樹脂製ブラシ用毛材の素材としては、従来からポリエステルやポリアミドなどの種々の合成樹脂が使用されているが、なかでもポリブチレンテレフタレート製のモノフィラメントブリッスルからなるブラシ用毛材、特にその先端をアルカリ溶解加工などによって尖鋭なテーパー状にしたブラシ用毛材（例えば、特許文献１参照）は、その柔軟性がブラシに適していること、耐久性、特に繰返し曲げによる永久変形が他の素材に比べて小さいこと、および吸水による毛腰の変化が極めて小さいことなどの利点を有することから、そのシェアを拡大しつつある。
【０００３】
すなわち、この先端テーパー加工したポリブチレンテレフタレート製のモノフィラメントブリッスルからなる毛材を用いた歯ブラシは、テーパー加工をしていない毛材を植毛した歯ブラシにくらべて、歯間挿入性がに向上し、また先端が柔軟であるため歯茎への刺激が少なくソフトな使用感が得られるからである。また、同様に、化粧ブラシやボディブラシの分野に適用した場合においても、肌への感触が柔らかであるばかりか、細かな隙間に毛先が入り込むことから清掃性も向上するという優れた効果を発現する。さらに、筆具、特に毛筆の分野に適用した場合には、毛先にまとまりがあり、微妙な毛先操作にも対応できるという獣毛に匹敵した優れた特性を発現する。
【０００４】
しかしながら、この先端テーパー加工したポリブチレンテレフタレート製のモノフィラメントブリッスルからなる毛材は、本来その毛腰が弱いために、特に歯ブラシの刷毛として用いた場合には、歯の表面清掃性が劣るばかりか、使用者によっては清掃感に欠ける印象を持つ場合があるという問題があった。
【０００５】
【特許文献１】
特開平６−１４１９２３号公報（第２頁）
【０００６】
【発明が解決しようとする課題】
本発明は、上述した従来技術における問題点の解決を目的として検討した結果、達成されたものである。
【０００７】
したがって、本発明の目的は、ポリブチレンテレフタレート製毛材を使用した歯ブラシ、特に先端を尖鋭なテーパー状にした使用した毛材を使用した歯ブラシの歯間挿入性を維持しつつ、さらに優れた毛腰を有し、特に歯ブラシとして使用した場合の歯の表面清掃性や使用感を向上させたブラシ用毛材、およびこの毛材を用いた用途、具体的には歯ブラシ、化粧ブラシ、ボディブラシなどのトイレタリー用ブラシおよび画筆や毛筆などの筆具などを提供することにある。
【０００８】
【課題を解決するための手段】
上記の目的を達成するため、本発明のブラシ用毛材は、ポリブチレンテレフタレート９５〜５０重量％と、ポリエチレンテレフタレートおよび／またはポリエチレンナフタレート５〜５０重量％とからなる組成物を溶融紡糸したモノフィラメントブリッスルからなることを特徴とする。
【０００９】
本発明のブラシ用毛材においては、前記組成物がポリブチレンテレフタレート９５〜８０重量％と、ポリエチレンテレフタレートおよび／またはポリエチレンナフタレート５〜２０重量％とからなる場合に、特に優れた性能を発揮する。
【００１０】
また、本発明のブラシ用毛材においては、少なくとも片端が尖鋭なテーパー状である場合に、ブラシ性能をさらに向上させることが可能である。
【００１１】
そして、本発明のブラシ用毛材は、歯ブラシ、化粧ブラシ、ボディブラシなどのトイレタレリーブラシおよび画筆や毛筆などの筆具などの用途に適用した場合に最良の効果を発揮する。
【００１２】
【発明の実施の形態】
以下に、本発明のブラシ用毛材およびその用途についてさらに詳細に説明する。
【００１３】
本発明のブラシ用毛材を構成する一成分であるポリブチレンテレフタレートとは、実質的にテレフタル酸と１，４−ブタンジオールを縮重合して得られるポリマであるが、テレフタル酸および１，４−ブタンジオールの一部を、当業界で良く知られる２，６−ナフタレンジカルボン酸、イソフタル酸、１，４−シクロヘキサンジカルボン酸、アジピン酸、セバシン酸、ダイマー酸、スルホン酸金属塩置換イソフタル酸などのジカルボン酸成分、およびエチレングリコール、１，３−プロパンジオール、ジエチレングリコール、１，４−シクロヘキサンジメタノール、１，４−シクロヘキサンジオール、ポリアルキレングリコールなどグリコール成分で置き換えた共重合ポリエステルであってもよい。
【００１４】
また、本発明のブラシ用毛材を構成する他の一成分であるポリエチレンテレフタレートとは、実質的にテレフタル酸とエチレングリコールとを縮重合して得られるポリマ、ポリエチレンナフタレートとは、実質的に２，６−ナフタレンジカルボン酸とエチレングリコールとを縮重合して得られるポリマであるが、いずれのポリマにおいても、ジカルボン酸および／またはグリコール成分の一部を上述した如き他の成分で置き換えた共重合ポリエステルであってもよい。
【００１５】
本発明のブラシ用毛材は、ポリブチレンテレフタレートと、ポリエチレンテレフタレートおよび／またはポリエチレンナフタレートとを、後述の比率で混合した上、通常の方法で溶融紡糸し、得られたモノフィラメントを集束して紙テープなどにより周囲を固定した後、所望長さにカットしてブリッスルとすることにより作成される。さらに、このブリッスル束の片端または両端をアルカリ液に浸漬することにより、先端を尖鋭なテーパー形状とすることができる。
【００１６】
また、本発明のブラシ用毛材には、本来の目的を阻害しない範囲であれば、耐熱剤、耐候剤、可塑剤および着色剤などの慣用の添加剤を含有させることができる。
【００１７】
ここで、樹脂の混合比率は、ポリブチレンテレフタレート９５〜５０重量％、特に９５〜８０重量％に対し、ポリエチレンテレフタレートおよび／またはポリエチレンナフタレートを５〜５０重量％、特に５〜２０重量％の範囲とすることが重要であり、この範囲内で用途に適した比率を選定する必要がある。ポリエチレンテレフタレートおよび／またはポリエチレンナフタレートの比率が上記の範囲未満の場合は、毛腰の改良効果が得られず、また上記の範囲を越えると、毛腰が硬くなり過ぎ、特に歯ブラシの刷毛に適用した場合には、歯茎への刺激が過度となり、場合によっては歯茎を傷つける可能性を生じるため好ましくない。
【００１８】
本発明のブラシ用毛材の断面形状は、丸断面に限ったものではなく、その用途によっては、楕円形、多角形、多葉形、および中空などから適宜選定することにより、清掃性の向上や、保水性の向上など付加的な効果を与えることが可能である。
【００１９】
また、本発明のブラシ用毛材の単糸は、一般には直線状であるが、これをクリンプ加工することで波状としたり、表面凹凸を与えたりすることによって、保水性の向上や、清掃性の向上を図ることも可能である。
【００２０】
本発明のブラシ用毛材の長さは、用途によって選択することができるが、特に歯ブラシの刷毛として使用する場合には、７．０〜１４．０ｍｍの範囲であることが好適である。
【００２１】
本発明のブラシ用毛材は、歯ブラシ、化粧用ブラシ、ボディブラシおよび筆具などの基台に対し植毛されるが、この場合には、毛材の中央部で屈折させた刷毛としてブラシ基台の植毛穴に植毛することが一般的である。
【００２２】
上記したように、本発明のブラシ用毛材は、少なくとも片端が尖鋭なテーパー形状でありながら、適度な毛腰を有することから、歯ブラシに代表されるトイレタリー用ブラシや、画筆、毛筆などの筆具毛材、およびフェイスブラシ、チークブラシ、マニニュアブラシ、アイライナーなどの化粧用ブラシ、さらにはボディブラシに適用した場合に最良の効果を発現する。
【００２３】
なお、本発明のブラシ用毛材は、上記の用途以外にも、食品洗浄ブラシ、食器洗浄ブラシ、車両洗浄ブラシなどのクリーニングブラシ用途、ペイントブラシ用途、複写機の除電ブラシ用途および清掃ブラシ用途などのブラシ分野へ広く適用することが可能である。
【００２４】
【実施例】
次に、実施例により本発明を具体的に説明する。
【００２５】
［実施例１］
十分に予備乾燥したポリブチレンテレフタレート（東レ（株）製  東レＰＢＴ１２００Ｓ）を８５重量％、ポリエチレンテレフタレート（東レ（株）製  テトロンＴ３０１Ｔ）を１５重量％の割合で混合し、均一に分散するまで撹拌した後、押出し機に投入し２９０℃に加熱溶融させた樹脂を口径０．８ｍｍの円形状のノズルから押し出し、直ちに４０℃の温水中で冷却、続いて６０℃の温水、さらには１３０℃乾熱下で合計４．５倍に延伸しした。次いで、この延伸糸を１８０℃の乾熱下で０．９５倍に熱セットすることによって、直径０．１９ｍｍのモノフィラメントを得た。
【００２６】
上記のモノフィラメントを集束し、周囲に紙テープをまいて直径５０ｍｍの毛束とし、３０ｍｍの長さに切断してカットブリッスル束を作成した。
【００２７】
さらに、上記のカットブリッスル束を水酸化ナトリウム溶液に浸漬して、束の両端を減量加工し、水洗、乾燥することにより、両端が尖鋭なテーパー形状であるブラシ用毛材を得た。
【００２８】
［実施例２］
ポリブチレンテレフタレートを６０重量％、ポリエチレンテレフタレートを４０重量％の割合で混合し、以下実施例１と同一の方法によりブラシ用毛材を得た。
【００２９】
［実施例３］
ポリブチレンテレフタレートを８５重量％、ポリエチレンナフタレート（東洋紡（株）社製  ＰＮ５５０）１５重量％の割合で混合し、以下実施例１と同一の方法によりブラシ用毛材を得た。
【００３０】
［比較例１］
ポリブチレンテレフタレートのみを用い、以下実施例１と同一の方法によりブラシ用毛材を得た。
【００３１】
［比較例２］
ポリブチレンテレフタレートを４０重量％、ポリエチレンテレナフタレート６０重量％の割合で混合し、以下実施例１と同一の方法によりブラシ用毛材を得た。
【００３２】
上記の各実施例で得たブラシ用毛材を、同一形状である３４穴の歯ブラシハンドルに毛丈１１ｍｍになるように植毛して歯ブラシを作成し、得られた歯ブラシの性能について、次の方法により評価した。
【００３３】
［清掃性評価］
歯ブラシに対し、歯ブラシ摺動面裏側から垂直に１５０ｇの荷重をかけて、仮想汚れを塗布したステンレス製凹凸板に対して、振幅１０ｍｍ、スピード１８０ｒｐｍで５０００回摺動させ、仮想汚れの除去率を測定した。汚れ除去率は、凸部表面と、２つの凸部の隙間にあたる凹部の２種について算出した。
【００３４】
［使用感調査］
歯ブラシを、成人２０名に１種類あたり５日間使用してもらい、使用感、特に歯茎への刺激について回答を得た。評価基準は次の通りである。
【００３５】
◎：「非常に良い」
○：「良い」
△：「普通」
×：「悪い」
以上の結果を表１に示す。
【００３６】
【表１】
2004166966.tif 000002
【００３７】
表１の結果から明らかなように、本発明のブラシ用毛材を植毛した歯ブラシ（実施例１〜３）は、ポリブチレンテレフタレートのみの場合（比較例１）に比べて、いずれも汚れ除去率、特に凸部表面の汚れ除去率が大幅に向上しており、使用感評価も上がっている。これは、毛腰が強くなったため毛先での清掃効果が向上し、しっかり磨いた感触が得られ、使用感が改善されたことによるものである。また、比較例２では、ポリブチレンテレフタレートの含有量が少ないため、毛腰が高くなり過ぎて歯茎への刺激が過大となり、使用者によっては歯茎の傷付きがみられた。また、この場合には清掃性もあまり向上していないが、これは歯茎への刺激が過大となるために、使用者が歯ブラシに負荷をかけなかった結果とみられる。
【００３８】
【発明の効果】
以上説明したように、本発明のブラシ用毛材は、ポリブチレンテレフタレート製毛材に比べてより適切な毛腰が得られることから、歯ブラシをはじめとするトイレタリー用ブラシ毛材、筆具毛材、化粧ブラシ、ボディブラシとして適用した場合に、最良の効果を発揮する。特に歯ブラシに適用した場合には、歯の表面清掃性が向上し使用感も改善することができる。